(57)【要約】  【課題】  作成されるプリントを用いて、容易に簡易アルバムが作成可能なプリント処理を行なえる画像処理装置を提供する。  【解決手段】  コントローラの制御により、オーダー単位で画像をプリント用紙にプリント処理するようにした画像処理装置において、プリント出力時にコントローラの制御により、各オーダのプリントとほぼ同一長さの表表紙片と、この表表紙片の一端に連続して、各オーダーのプリント枚数分の厚さとほぼ同一長さからなる背表紙片とから構成される表紙用プリント用紙を各オーダのプリントに付加して出力すると共に、表紙用プリント用紙には、表表紙片と背表紙片との境界に、折り曲げ位置を示す表示をプリントするようにした。  【選択図】  図２
2006186790.tif 000002
【特許請求の範囲】
【請求項１】
コントローラの制御により、オーダー単位で画像をプリント用紙にプリント処理するようにした画像処理装置において、プリント出力時にコントローラの制御により、各オーダのプリントとほぼ同一長さの表表紙片と、この表表紙片の一端に連続して、各オーダーのプリント枚数分の厚さとほぼ同一長さからなる背表紙片とから構成される表紙用プリント用紙を各オーダのプリントに付加して出力するようにしていることを特徴とする画像処理装置。
【請求項２】
出力される表紙用プリント用紙における表表紙片と背表紙片との境界に、折り曲げ位置を示す表示をプリントするようにしていることを特徴とする請求項１に記載の画像処理装置。
【請求項３】
出力される表紙用プリント用紙における背表紙片の先端に裏表紙片（折り返し片）を延設していることを特徴とする請求項１または２に記載の画像処理装置。
【請求項４】
出力される表紙用プリント用紙における背表紙片と裏表紙片との境界に、折り曲げ位置を示す表示をプリントするようにしていることを特徴とする請求項３に記載の画像処理装置。
【請求項５】
出力される表紙用プリント用紙に画像をプリント処理するようにしていることを特徴とする請求項１、２、３または４に記載の画像処理装置。
【発明の詳細な説明】
【技術分野】
【０００１】
本発明は、画像処理装置に関する。
【背景技術】
【０００２】
一般に画像処理装置は、印画紙からなるプリント用紙に画像を焼き付けるための露光装置と、露光装置で露光済のプリント用紙を現像処理するための現像処理装置とが機体に搭載され、現像済みフィルムなどの画像をオーダー単位で露光装置によりプリント用紙に焼き付けた後、このプリント用紙を現像処理装置で現像して、プリントを仕上げるようにしている。
【０００３】
（特許文献１参照）
ところで以上の画像処理装置で作成されたプリントを整理保管するに際して、従来では、      袋状のプリント収容室が複数備えられたポケットアルバムを別途入手して、作成されたプリントをこのポケットアルバムのプリント収容室に適宜収容して保管するのが一般的であった。
【０００４】
しかしながら最近では、デジタルカメラの普及に伴い、撮影した画像はデータで長期保存して、プリントは一時的に利用する傾向となっており、そのため作成されたプリントを既存のアルバムに貼るなどして保管するようなことが少なくなってきているが、作成したプリントをそのままにしておくと紛失するなどの不具合がある。
【０００５】
また前記した特許文献１の画像処理装置には、アルバムの作成のために、１枚の印画紙に複数コマの画像を適宜レイアウトしてプリント処理する機能をも備えているが、以上の画像処理装置により作成される前述のアルバム用のプリントにあっても、別途用意した既存のアルバム帳に前述のプリントを綴じてアルバムを作成するしかないし、またアルバムを作成したい場合には、プリント処理の前に前記したアルバム用のプリントの作成を依頼をしておかねばならず、プリント処理がそれだけ煩雑となる。
【特許文献１】特開２０００−８９３７２号公報
【発明の開示】
【発明が解決しようとする課題】
【０００６】
本発明は以上の実情に鑑みて開発したものであって、目的とするところは、作成されるプリントを用いて、容易に簡易アルバムが作成可能なプリント処理を行なえる画像処理装置を提供することにある。
【課題を解決するための手段】
【０００７】
以上の目的を達成するために、請求項１に記載の発明は、コントローラの制御により、オーダー単位で画像をプリント用紙にプリント処理するようにした画像処理装置において、プリント出力時にコントローラの制御により、各オーダのプリントとほぼ同一長さの表表紙片と、この表表紙片の一端に連続して、各オーダーのプリント枚数分の厚さとほぼ同一長さからなる背表紙片とから構成される表紙用プリント用紙を各オーダのプリントに付加して出力するようにしていることを特徴とするものである。
【０００８】
請求項２に記載の発明は、請求項１に記載の画像処理装置において、出力される表紙用プリント用紙における表表紙片と背表紙片との境界に、折り曲げ位置を示す表示をプリントするようにしていることを特徴とするものである。
【０００９】
請求項３に記載の発明は、請求項１または２に記載の画像処理装置において、出力される表紙用プリント用紙における背表紙片の先端に裏表紙片（折り返し片）を延設していることを特徴とするものである。
【００１０】
請求項４に記載の発明は、請求項３に記載の画像処理装置において、出力される表紙用プリント用紙における背表紙片と裏表紙片との境界に、折り曲げ位置を示す表示をプリントするようにしていることを特徴とするものである。
【００１１】
請求項５に記載の発明は、請求項１、２、３または４に記載の画像処理装置において、出力される表紙用プリント用紙に画像をプリント処理するようにしていることを特徴とするものである。
【発明の効果】
【００１２】
請求項１に記載の発明によれば、オーダー単位でのプリント出力に伴い、各オーダの出力されるプリントとほぼ同一長さの表表紙片と、各オーダーのプリント枚数分の厚さとほぼ同一長さからなる背表紙片とから構成される表紙用プリント用紙も出力されるので、出力された複数のプリントと表紙用プリント用紙を用いて簡易アルバムを簡単且つ容易に作成することが出来るに至ったのである。
【００１３】
請求項２に記載の発明によれば、請求項１に記載の発明の効果に加え、出力された表紙用プリント用紙にプリントされている折り曲げ位置の表示により、表表紙片を背表紙片に対して簡単且つ正確に折り曲げることが可能となり、より一層簡易アルバムの作成がスムーズに行なえる。
【００１４】
請求項３に記載の発明によれば、請求項１または２に記載の発明の効果に加え、簡易アルバムの作成に伴い。プリントを表表紙片と背表紙片と裏表紙片とで、より一層確実にカバーすることが出来る。
【００１５】
請求項４に記載の発明によれば、請求項３に記載の発明の効果に加え、裏表紙片を背表紙片に対して簡単且つ正確に折り曲げることが可能となり、より一層簡易アルバムの作成がスムーズに行なえる。
【００１６】
請求項５に記載の発明によれば、請求項１、２，３または４に記載の発明の効果に加え、例えば作成するアルバムの種類に応じた画像を表紙用プリント用紙にプリント処理することで、より一層、顧客のニーズに沿う商品を提供することが出来る。
【発明を実施するための最良の形態】
【００１７】
図１は、本発明を適用する画像処理装置を概略的に示したものであって、この画像処理装置１は、画像データを作成するための画像データ作成装置１と、画像データ作成装置１で作成された画像データに基づいて、後記のコントローラ１５を介してプリント用紙に画像をプリント処理するためのプリント処理機２から成る。
【００１８】
プリント処理機２は、印画紙から構成されたプリント用紙Ｐへの画像の焼付処理を行うプリンター３と、画像の焼付けを終了したプリント用紙Ｐに対して現像などの処理を施すプロセッサー４とから構成されている。
【００１９】
プリンター３は、既知の通り、ペーパーマガジン３１から引き出されてカッター装置３２により所定サイズに切断されたプリント用紙Ｐを搬送するための搬送装置３３と、この搬送装置３３により搬送されるプリント用紙Ｐに画像を焼き付けるための露光装置３４が搭載されている。
【００２０】
露光装置３４は、デジタル露光方式を採用しているのであって、デジタル露光の方式としては、ＰＬＺＴシャッター方式や蛍光ビーム方式、液晶シャッター方式等が知られており、仕様に応じて任意の方式を選択することが出来る。
【００２１】
プロセッサー４は、露光装置３４で露光済のプリント用紙を現像処理するための現像装置４１と、この現像装置４１で現像処理されたプリント用紙Ｐを乾燥するための乾燥処理装置４２と、乾燥されたプリント用紙Ｐを排出するためのプリント搬出装置４３とが備えられている。
【００２２】
尚、図中、１１はハロゲンランプを内装したランプハウジング、１２はフィルムマスク、１３は画像処理装置の稼働状況やプリント処理する画像を表示するためのモニター、１４は画像作成装置１に搭載されているコントローラ１５に各種情報を入力するためのキーボードを示す。
【００２３】
以上の画像処理装置のコントローラ１５を構成するコンピュータのプログラム上には、
画像データ作成装置１により入力処理されるオーダ毎のプリント枚数と、そのプリントに使用されるプリント用紙の予め記憶させた厚さ情報に基づいて、後記する表紙用プリント用紙５の背表紙片５２の長さを算出するための背表紙長さ算出機能１５ａと、
画像データ作成装置１により入力処理されるオーダ毎に、各オーダのプリントとほぼ同一長さの表表紙片５１と、この表表紙片５１の一端に連続して、前述の背表紙長さ算出機能１５ａにより算出された各オーダーのプリント枚数分の厚さとほぼ同一長さからなる背表紙片５２と、背表紙片５２の約２分の１の長さで背表紙片５２の先端に連続する裏表紙片５３とから構成される表紙用プリント用紙５を各オーダのプリントＰの最後に出力するように設定する表紙出力設定機能１５ｂと、
表紙用プリント用紙５の表面にプリントする文字や絵柄、フレームなどの各種画像を設定するためのプリント画像設定機能１５ｃとが構築されている。
【００２４】
また実施形態では、前述のプリント画像設定機能１５ｃには、表紙用プリント用紙５における背表紙片５２と表表紙片５１との境界並びに背表紙片５２と裏表紙片５３との境界に折り曲げ位置を示す表示としての折り曲げ線Ｌ１・Ｌ２をプリントするための機能も備えている。
【００２５】
斯くして以上の画像処理装置は、プリント出力時に、画像データ作成装置１により入力処理されるオーダ毎のプリント枚数とそのプリントに使用されるプリント用紙の予め記憶させている厚さ情報に基づいて、コントローラ１５の制御により、前述の背表紙長さ算出機能１５ａと表紙出力設定機能設定機能１５ｂとプリント画像設定機能１５ｃを介して
各オーダのプリントと同一長さの表表紙片５１と、各オーダーのプリント枚数分の厚さとほぼ同一長さからなる背表紙片５２と、背表紙片５２の約２分の１の長さの裏表紙片５３とから構成され、その表面に例えば所定の文字Ｗや絵Ｘや折り曲げ線Ｌ１・Ｌ２から成る画像をプリントした表紙用プリント用紙５が各オーダのプリントＰの最後に付加して出力されるのである。
【００２６】
以上の構成からなる画像処理装置により、プリントを作成するには、画像データ作成装置１により、まずオーダー毎に画像を取り込むとともに、顧客から表紙用プリント用紙５の表面にプリントしたい文字や絵、フレームなどの各種画像を聞き取って、その画像情報をキーボード１４を介してコントローラ１５に入力するのであって、これに伴い、画像の読取処理が行なわれると共にその画像がデジタル画像データに変換され、プリント処理機２に出力される。
【００２７】
そしてプリント処理機２では、露光装置２４により画像をプリント用紙Ｐに画像を露光した後、この露光済のプリント用紙Ｐを搬送装置３３によりプロセッサー４に送り込むのであって、プロセッサー４では、露光済のプリント用紙Ｐを、先ず現像装置４１で現像処理した後、乾燥処理装置４２で乾燥し、出来上がったプリントをプリント搬出装置４３により搬出するのである。
【００２８】
そして１オーダー分のプリント出力に続いて、前述の表紙用プリント用紙５もプリント出力されてプリント搬出装置４３により搬出されるのである。
【００２９】
以上のごとくプリント出力されたプリントＰ及び表紙用プリント用紙５により簡易アルバムＡを作成するには、店員または顧客が、出力された表紙用プリント用紙５の表表紙片５１およぴ裏表紙片５３を背表紙片５２に対し折り曲げ線Ｌ１・Ｌ２に沿って折り曲げて、表表紙片５１と裏表紙片５２とを対向させると共に、背表紙片５２の内面に両面テープ５４を貼るか若しくは接着剤を塗布した上で、この背表紙片５２の内面に、予め揃えた複数枚のプリントＰの端縁を貼り付けるのであって、これにより、図４に示すような簡易アルバムＡを簡単に作成することが出来る。
【００３０】
ところで、表紙用プリント用紙５には、表表紙片５１と背表紙片５２との境界並びに裏表紙片５３と背表紙片５２との境界にそれぞれ折り曲げ線Ｌ１・Ｌ２がプリントされるので、背表紙片５２に対する表表紙片５１及び裏表紙片５３の折り曲げ作業が簡単且つ正確に行なうことが出来る。
【００３１】
以上の実施形態では、表紙用プリント用紙５の背表紙片５２の内面に手作業で両面テープ５４を貼るか若しくは接着剤を塗布するようにしたが、これに限定されるものではなく、例えばプリント搬出装置４３の途中に、接着用の両面テープを貼り付けるための貼り付け装置を搭載して、表紙用プリント用紙５の出力に伴い、背表紙片５２の内面に両面テープ５４を自動的に貼り付けるようにしてもよい。
【００３２】
また以上の実施形態では、現像処理機構を備えた画像処理装置に本発明を適用したが、これに限定されるものではなく、例えばインクジェット式のプリンタを備えた画像処理装置に本発明を適用してもよい。
【００３３】
また以上の実施形態では、表紙用プリント用紙５を各オーダのプリントＰの最後に付加して出力するようにしたが、これに限定されるものではなく、表紙用プリント用紙５を各オーダのプリントＰの最初に出力するようにしてもよい。
【００３４】
また以上の実施形態では、背表紙片５２の一端に裏表紙片５３を連続して設けたが、裏表紙片５３は、場合によっては省略してもよい。
【００３５】
また以上の実施形態では、また実施形態では、前述のプリント画像設定機能１５ｃには、表紙用プリント用紙５における背表紙片５２と表表紙片５１との境界並びに背表紙片５２と裏表紙片５３との境界に折り曲げ位置を示す表示としての折り曲げ線Ｌ１・Ｌ２をプリントするための機能も備えている。
【００３６】
また以上の実施形態では、プリント画像設定機能１５ｃにより、表紙用プリント用紙５の表面に絵柄、フレームなどの各種画像をプリントするようにしたが、これに限定されるものではなく、例えば各オーダーのプリントの全画像若しくは選択した画像を縮小して並べた所謂インデックスプリント仕様の画像をプリントするようにしてもよい。
【００３７】
また以上の実施形態では、裏表紙片５３を背表紙片５２の約２分の１の長さに形成したが、これに限定されるものではなく、裏表紙片５３を例えば表表紙片５１と同一長さとしてもよい。
【図面の簡単な説明】
【００３８】
【図１】本発明にかかる画像処理装置の概略説明図。
【図２】同、構成図。
【図３】画像処理装置から出力されたプリント及び表紙用プリント用紙の説明図。
【図４】画像処理装置から出力されたプリントと表紙用プリント用紙とにより作成した簡易アルバムの斜視図。
【符号の説明】
【００３９】
１      画像データ作成装置
１４    キーボード
１５    コントローラ
１５ａ  背表紙長さ算出機能
１５ｂ  表紙出力設定機能
１５ｃ  プリント画像設定機能
２      プリント処理機
３      プリンター
４      プロセッサー
５      表紙用プリント用紙
５１    表表紙片
５２    背表紙片
５３    裏表紙片
Ｌ１・Ｌ２  折り曲げ線
Ｐ      プリント
【図１】
2006186790.tif 000003
【図２】
2006186790.tif 000004
【図３】
2006186790.tif 000005
【図４】
2006186790.tif 000006